【事件の表示】
　特願２００２−２４１００３「認証方法及び認証システム及び認証トークン」拒絶査定不服審判事件〔平成１５年　６月２７日出願公開、特開２００３−１７８０３３〕について、次のとおり審決する。
【結　論】
　本件審判の請求は、成り立たない。
【理　由】
１．手続の経緯
　本願は、平成１４年８月２１日（優先権主張平成１３年９月６日）の出願であって、平成１６年６月１８日付けの拒絶理由通知に対し、同年８月２３日付けで手続補正がなされたところ、同年９月８日付けで拒絶査定がなされた。これに対し、同年１０月１４日に拒絶査定に対する審判請求がなされ、さらに、同年１１月１２日付けで手続補正がなされたものである。
　
２．平成１６年１１月１２日付けの手続補正についての補正却下の決定
［補正却下の決定の結論］
　平成１６年１１月１２日付けの手続補正を却下する。
［理由］
（１）補正後の特許請求の範囲の記載
　平成１６年１１月１２日付けの手続補正（以下、「本件補正」という。）は、同年８月２３日付け手続補正により補正された特許請求の範囲（以下、「補正前の特許請求の範囲」という。）の請求項１から２７の記載、すなわち、
　
「【請求項１】　生体情報センサによりユーザの生体情報の読み取りを行う第１のステップと、
　第１のステップの処理に基づき読み取られた生体情報と登録メモリの登録生体情報とを照合するとともに、照合結果が照合成功を示すときには認証情報出力部のユーザ固有情報を、利用機器からの提供サービスに対応したエミュレータ信号に変換し前記利用機器に送信する第２のステップと、
　前記第２のステップの処理により送信されたエミュレータ信号に基づいて前記利用機器から前記ユーザにサービスを提供する第３のステップと
　を有し、
　前記第２のステップにおける処理は、
　生体情報センサにより読み取られた生体情報と登録メモリの登録生体情報とを照合し照合結果を出力する第４のステップと、
　第４のステップの処理に基づく照合結果が照合成功を示すときには前記認証情報出力部のユーザ固有情報をキーボードの打鍵信号に変換し前記エミュレータ信号として前記利用機器に送信する第５のステップとを含み、
　前記第３のステップにおける処理は、前記第５のステップの処理により送信された打鍵信号に基づいて前記利用機器がサービスプログラムを実行し前記ユーザにサービスを提供する処理を含むことを特徴とする認証方法。
【請求項２】　請求項１において、
　前記第４のステップにおける処理は、指示器により前記照合の開始が指示されると、前記生体情報の読み取り期間を表示器に表示する第６のステップを含むことを特徴とする認証方法。
【請求項３】　請求項１において、
　前記第５のステップにおける処理は、前記認証情報出力部に設けられたパスワード生成装置からのパスワードを前記ユーザ固有情報としてキーボードの打鍵信号に変換する第７のステップを含むことを特徴とする認証方法。
【請求項４】　請求項１において、
　前記第４のステップの処理に基づく照合結果が照合成功を示す場合に前記認証情報出力部に設けられ前記ユーザ固有情報を記憶するユーザメモリへのアクセスを許容する第８のステップを有することを特徴とする認証方法。
【請求項５】
請求項１において、
　前記登録メモリに、前記ユーザの複数の生体情報とそれぞれ対応する複数の登録生体情報を記憶する第９のステップと、
　前記認証情報出力部として設けられたユーザメモリに前記複数の登録生体情報に対応して前記ユーザの複数のユーザ固有情報を記憶する第１０のステップと
　を有し、
　前記第４のステップにおける処理は、第１のステップの処理に基づき読み取られた生体情報と登録メモリの複数の登録生体情報とを照合する第１１のステップを含み、
　前記第５のステップにおける処理は、第１１のステップの処理に基づく照合結果が照合成功を示したときの登録生体情報に応じた前記ユーザのユーザ固有情報をキーボードの打鍵信号に変換する第１２のステップを含むことを特徴とする認証方法。
【請求項６】　請求項５において、
　前記第１のステップにおける処理は、生体情報センサが前記ユーザの生体のそれぞれの向きに応じた読み取りを行って生体情報として出力する第１３のステップを含み、
　前記第１１のステップにおける処理は、生体情報センサから出力された生体情報と登録メモリの登録生体情報とを照合する第１４のステップを含み、
　前記第１２のステップにおける処理は、前記第１４のステップの処理に基づく照合結果が照合成功を示したときの生体情報の向きに応じた前記ユーザメモリの固有情報を選択する第１５のステップを含むことを特徴とする認証方法。
【請求項７】
請求項５において、
　前記第１のステップにおける処理は、前記生体情報センサが前記ユーザの複数の生体を順次読み取ってそれぞれ異なる生体情報として順次出力する第１６のステップを含み、
　前記第１１のステップにおける処理は、生体情報センサから出力された生体情報と登録メモリの登録生体情報とを順次照合する第１７のステップを含み、
　前記第１２のステップにおける処理は、前記第１７のステップの処理に基づく照合結果が照合成功を示したときの照合が成功した登録生体情報の順序に応じた前記ユーザメモリの固有情報を選択する第１８のステップを含むことを特徴とする認証方法。
【請求項８】
請求項１において、
　パスワードの生成が指示されると、パスワードを生成して生成したパスワードを前記認証情報出力部に設けられたユーザメモリに前記ユーザ固有情報として記憶するとともに、前記生成したパスワードを出力する第１９のステップを有し、　前記第５のステップにおける処理は、前記第１９のステップの処理に基づき出力されたパスワードをキーボードの打鍵信号に変換する第２０のステップを含むことを特徴とする認証方法。
【請求項９】
請求項１において、
　認証トークンが、登録用ユーザ固有情報を受信すると前記認証情報出力部に設けられたユーザメモリのユーザ固有情報を前記登録用ユーザ固有情報に更新する第２１のステップを有することを特徴とする認証方法。
【請求項１０】　ユーザが所持する認証トークンと、前記ユーザにサービスを提供す
る利用機器とからなり、
　前記認証トークンは、
　前記ユーザの生体情報の読み取りを行う生体情報センサと、
　前記ユーザの登録生体情報を予め記憶する登録メモリと、
　少なくとも前記ユーザの固有情報の出力が可能な認証情報出力部と、
　生体情報センサにより読み取られた生体情報と登録メモリの登録生体情報とを照合するとともに、照合結果が照合成功を示すとき前記認証情報出力部のユーザ固有情報を、前記利用機器からの提供サービスに対応したエミュレータ信号に変換し出力するエミュレータ部と
　を有し、
　前記エミュレータ部は、
　生体情報センサにより読み取られた生体情報と登録メモリの登録生体情報とを照合する照合部と、
　前記照合部の照合結果が照合成功を示すとき前記認証情報出力部のユーザ固有情報をキーボードの打鍵信号に変換するキーボードエミュレータと、
　前記キーボードエミュレータにより変換された打鍵信号を送信する第１の通信回路と
　を有し、
　前記利用機器は、
　前記認証トークンから出力されるエミュレータ信号に基づいて前記ユーザにサービスを提供する処理装置と、
　前記第１の通信回路から前記エミュレータ信号として送信された打鍵信号を受信すると、この受信した打鍵信号を前記処理装置に送出する第２の通信回路を有し、
　前記処理装置は、第２の通信回路からの打鍵信号に基づいてサービスプログラムを実行し前記ユーザにサービスを提供することを特徴とする認証システム。
【請求項１１】　請求項１０において、
　前記認証トークンは、
　前記照合部に対して前記照合の開始を指示する指示器と、
　前記生体情報センサによる生体情報の読み取り期間が表示可能な表示器と
　を有し、前記照合部は、前記指示器により前記照合の開始が指示されると、前記表示器に前記生体情報の読み取り期間を表示することを特徴とする認証システム。
【請求項１２】
請求項１０において、
　前記認証情報出力部は、パスワードを生成して前記ユーザ固有情報として出力するパスワード生成装置を備え、
　前記キーボードエミュレータは、前記パスワード生成装置からのパスワードをキーボー
ドの打鍵信号に変換することを特徴とする認証システム。
【請求項１３】
請求項１０において、
　前記認証情報出力部は、前記ユーザ固有情報を記憶するユーザメモリを備え、
　前記ユーザメモリは、照合部の照合結果が照合成功を示すときに外部からのアクセスが許容されることを特徴とする認証システム。
【請求項１４】
請求項１０において、
　前記認証情報出力部は、前記ユーザ固有情報を記憶するユーザメモリを備え、
　前記登録メモリには前記ユーザの複数の生体情報にそれぞれ対応する複数の登録生体情報が記憶されるとともに、前記ユーザメモリには前記複数の登録生体情報に対応して前記ユーザの複数の固有情報が記憶され、
　前記照合部は、生体情報センサにより読み取られた生体情報と登録メモリの複数の登録生体情報とを照合し、
　前記キーボードエミュレータは、前記照合部の照合結果が照合成功を示したときの登録生体情報に応じた前記ユーザメモリの固有情報を入力してキーボードの打鍵信号に変換することを特徴とする認証システム。
【請求項１５】
請求項１４において、
　前記生体情報センサは、前記ユーザの生体のそれぞれの向きに応じた読み取りを行って生体情報として出力し、
　前記照合部は、生体情報センサから出力された生体情報と登録メモリの登録生体情報とを照合し、
　前記キーボードエミュレータは、前記照合部の照合結果が照合成功を示したときの生体情報の向きに応じた前記ユーザメモリの固有情報を選択することを特徴とする認証システム。
【請求項１６】
請求項１４において、
　前記生体情報センサは、前記ユーザの複数の生体を順次読み取ってそれぞれ異なる生体情報として順次出力し、
　前記照合部は、生体情報センサから出力された生体情報と登録メモリの登録生体情報とを順次照合し、
　前記キーボードエミュレータは、前記照合部の照合結果が照合成功を示したときの照合が成功した登録生体情報の順序に応じた前記ユーザメモリの固有情報を選択することを特徴とする認証システム。
【請求項１７】
請求項１５において、
　前記認証情報出力部は、前記ユーザ固有情報を記憶するユーザメモリを備え、
　前記認証トークンは、
　パスワードの生成を指示する指示器と、
　前記指示器によりパスワードの生成が指示されると、パスワードを生成して前記ユーザメモリに前記ユーザ固有情報として記憶するとともに、前記キーボードエミュレータに出力するパスワード生成装置と
　を有することを特徴とする認証システム。
【請求項１８】
請求項１５において、
　前記認証情報出力部は、前記ユーザ固有情報を記憶するユーザメモリを備え、
　前記認証トークンは、
　前記利用機器から送信される登録用ユーザ固有情報を第１の通信回路を介して受信すると前記ユーザメモリのユーザ固有情報を前記登録用ユーザ固有情報に更新する更新手段を備えたことを特徴とする認証システム。
【請求項１９】　ユーザの生体情報の読み取りを行う生体情報センサと、
　前記ユーザの登録生体情報を予め記憶する登録メモリと、
　少なくとも前記ユーザの固有情報の出力が可能な認証情報出力部と、
　生体情報センサにより読み取られた生体情報と登録メモリの登録生体情報とを照合するとともに、照合結果が照合成功を示すとき前記認証情報出力部のユーザ固有情報を、利用機器からの提供サービスに対応したエミュレータ信号に変換して前記利用機器に出力し前記利用機器からサービスを提供させるエミュレータ部とを備え、
　前記エミュレータ部は、
　生体情報センサにより読み取られた生体情報と登録メモリの登録生体情報とを照合する照合部と、
　前記照合部の照合結果が照合成功を示すとき前記認証情報出力部のユーザ固有情報をキーボードの打鍵信号に変換するキーボードエミュレータと、
　前記キーボードエミュレータにより変換された打鍵信号を前記エミュレータ信号として前記利用機器に送信する通信回路と
　を有することを特徴とする認証トークン。
【請求項２０】
請求項１９において、
　前記照合部に対して前記照合の開始を指示する指示器と、
　前記生体情報センサによる生体情報の読み取り期間が表示可能な表示器と
　を有し、前記照合部は、前記指示器により前記照合の開始が指示されると、前記表示器に前記生体情報の読み取り期間を表示することを特徴とする認証トークン。
【請求項２１】
請求項１９において、
　前記認証情報出力部は、パスワードを生成して前記ユーザ固有情報として出力するパスワード生成装置を備え、前記キーボードエミュレータは、前記パスワード生成装置からのパスワードをキーボードの打鍵信号に変換することを特徴とする認証トークン。
【請求項２２】　請求項１９において、
　前記認証情報出力部は、前記ユーザ固有情報を記憶するユーザメモリを備え、
　前記ユーザメモリは、照合部の照合結果が照合成功を示すときに外部からのアクセスが許容されることを特徴とする認証トークン。
【請求項２３】　請求項１９において、
　前記認証情報出力部は、前記ユーザ固有情報を記憶するユーザメモリを備え、
　前記登録メモリには前記ユーザの複数の生体情報にそれぞれ対応する複数の登録生体情報が記憶されるとともに、前記ユーザメモリには前記複数の登録生体情報に対応して前記ユーザの複数の固有情報が記憶され、
　前記照合部は、生体情報センサにより読み取られた生体情報と登録メモリの複数の登録生体情報とを照合し、
　前記キーボードエミュレータは、前記照合部の照合結果が照合成功を示したときの登録生体情報に応じた前記ユーザメモリの固有情報を入力してキーボードの打鍵信号に変換することを特徴とする認証トークン。
【請求項２４】
請求項２３において、
　前記生体情報センサは、前記ユーザの生体のそれぞれの向きに応じた読み取りを行って生体情報として出力し、
　前記照合部は、生体情報センサから出力された生体情報と登録メモリの登録生体情報とを照合し、
　前記キーボードエミュレータは、前記照合部の照合結果が照合成功を示したときの生体情報の向きに応じた前記ユーザメモリの固有情報を選択することを特徴とする認証トークン。
【請求項２５】
請求項２３において、
　前記生体情報センサは、前記ユーザの複数の生体を順次読み取ってそれぞれ異なる生体情報として順次出力し、
　前記照合部は、生体情報センサから出力された生体情報と登録メモリの登録生体情報とを順次照合し、
　前記キーボードエミュレータは、前記照合部の照合結果が照合成功を示したときの照合が成功した登録生体情報の順序に応じた前記ユーザメモリの固有情報を選択することを特徴とする認証トークン。
【請求項２６】　請求項１９において、
　前記認証情報出力部は、前記ユーザ固有情報を記憶するユーザメモリを備え、
　パスワードの生成を指示する指示器と、
　前記指示器によりパスワードの生成が指示されると、パスワードを生成して前記ユーザメモリに前記ユーザ固有情報として記憶するとともに、前記キーボードエミュレータに出力するパスワード生成装置と
　を有することを特徴とする認証トークン。
【請求項２７】　請求項１９において、
　前記認証情報出力部は、前記ユーザ固有情報を記憶するユーザメモリを備え、
　前記利用機器から送信される登録用ユーザ固有情報を通信回路を介して受信すると前記ユーザメモリのユーザ固有情報を前記登録用ユーザ固有情報に更新する更新手段を備えたことを特徴とする認証トークン。」
　
を次のように補正することを含むものである。
　
「【請求項１】　生体情報センサによりユーザの生体情報の読み取りを行う第１のステップと、
　第１のステップの処理に基づき読み取られた生体情報と登録メモリの登録生体情報とを照合し、照合結果が照合成功を示すときのみ認証情報出力部に設けられユーザ固有情報を記憶するユーザメモリへ、前記ユーザ固有情報の更新や追加をするためのアクセスを許容するとともに、前記認証情報出力部の前記ユーザ固有情報を、利用機器からの提供サービスに対応したエミュレータ信号に変換し前記利用機器に送信する第２のステップと、
　前記第２のステップの処理により送信されたエミュレータ信号に基づいて前記利用機器から前記ユーザにサービスを提供する第３のステップと
　を有し、
　前記第２のステップにおける処理は、
　生体情報センサにより読み取られた生体情報と登録メモリの登録生体情報とを照合し照合結果を出力する第４のステップと、
　第４のステップの処理に基づく照合結果が照合成功を示すときには前記認証情報出力部のユーザ固有情報をキーボードの打鍵信号に変換し前記エミュレータ信号として前記利用機器に送信する第５のステップとを含み、
　前記第３のステップにおける処理は、前記第５のステップの処理により送信された打鍵信号に基づいて前記利用機器がサービスプログラムを実行し前記ユーザにサービスを提供する処理を含むことを特徴とする認証方法。
【請求項２】　請求項１において、
　前記第４のステップにおける処理は、指示器により前記照合の開始が指示されると、前記生体情報の読み取り期間を表示器に表示する第６のステップを含むことを特徴とする認証方法。
【請求項３】　請求項１において、
　前記第５のステップにおける処理は、前記認証情報出力部に設けられたパスワード生成装置からのパスワードを前記ユーザ固有情報としてキーボードの打鍵信号に変換する第７のステップを含むことを特徴とする認証方法。
【請求項４】　請求項１において、
　前記登録メモリに、前記ユーザの複数の生体情報とそれぞれ対応する複数の登録生体情報を記憶する第９のステップと、
　前記認証情報出力部として設けられたユーザメモリに前記複数の登録生体情報に対応して前記ユーザの複数のユーザ固有情報を記憶する第１０のステップと　を有し、
　前記第４のステップにおける処理は、第１のステップの処理に基づき読み取られた生体情報と登録メモリの複数の登録生体情報とを照合する第１１のステップを含み、
　前記第５のステップにおける処理は、第１１のステップの処理に基づく照合結果が照合成功を示したときの登録生体情報に応じた前記ユーザのユーザ固有情報をキーボードの打鍵信号に変換する第１２のステップを含むことを特徴とする認証方法。
【請求項５】　請求項４において、
　前記第１のステップにおける処理は、生体情報センサが前記ユーザの生体のそれぞれの向きに応じた読み取りを行って生体情報として出力する第１３のステップを含み、
　前記第１１のステップにおける処理は、生体情報センサから出力された生体情報と登録メモリの登録生体情報とを照合する第１４のステップを含み、
　前記第１２のステップにおける処理は、前記第１４のステップの処理に基づく照合結果が照合成功を示したときの生体情報の向きに応じた前記ユーザメモリの固有情報を選択する第１５のステップを含むことを特徴とする認証方法。
【請求項６】　請求項４において、
　前記第１のステップにおける処理は、前記生体情報センサが前記ユーザの複数の生体を順次読み取ってそれぞれ異なる生体情報として順次出力する第１６のステップを含み、
　前記第１１のステップにおける処理は、生体情報センサから出力された生体情報と登録メモリの登録生体情報とを順次照合する第１７のステップを含み、
　前記第１２のステップにおける処理は、前記第１７のステップの処理に基づく照合結果が照合成功を示したときの照合が成功した登録生体情報の順序に応じた前記ユーザメモリの固有情報を選択する第１８のステップを含むことを特徴とする認証方法。
【請求項７】　請求項１において、
　パスワードの生成が指示されると、パスワードを生成して生成したパスワードを前記認証情報出力部に設けられたユーザメモリに前記ユーザ固有情報として記憶するとともに、前記生成したパスワードを出力する第１９のステップを有し、
　前記第５のステップにおける処理は、前記第１９のステップの処理に基づき出力されたパスワードをキーボードの打鍵信号に変換する第２０のステップを含むことを特徴とする認証方法。
【請求項８】　請求項１において、
　認証トークンが、登録用ユーザ固有情報を受信すると前記認証情報出力部に設けられたユーザメモリのユーザ固有情報を前記登録用ユーザ固有情報に更新する第２１のステップを有することを特徴とする認証方法。
【請求項９】　ユーザが所持する認証トークンと、前記ユーザにサービスを提供する利用機器とからなり、
　前記認証トークンは、
　前記ユーザの生体情報の読み取りを行う生体情報センサと、
　前記ユーザの登録生体情報を予め記憶する登録メモリと、
　少なくとも前記ユーザの固有情報の出力が可能な認証情報出力部と、
　生体情報センサにより読み取られた生体情報と登録メモリの登録生体情報とを照合するとともに、照合結果が照合成功を示すとき前記認証情報出力部のユーザ固有情報を、前記利用機器からの提供サービスに対応したエミュレータ信号に変換し出力するエミュレータ部と　を有し、
　前記エミュレータ部は、
　生体情報センサにより読み取られた生体情報と登録メモリの登録生体情報とを照合する照合部と、
　前記照合部の照合結果が照合成功を示すとき前記認証情報出力部のユーザ固有情報をキーボードの打鍵信号に変換するキーボードエミュレータと、
　前記キーボードエミュレータにより変換された打鍵信号を送信する第１の通信回路とを有し、
　前記利用機器は、
　前記認証トークンから出力されるエミュレータ信号に基づいて前記ユーザにサービスを提供する処理装置と、
　前記第１の通信回路から前記エミュレータ信号として送信された打鍵信号を受信すると、この受信した打鍵信号を前記処理装置に送出する第２の通信回路を有し、
　前記処理装置は、第２の通信回路からの打鍵信号に基づいてサービスプログラムを実行し前記ユーザにサービスを提供し、
前記認証情報出力部は、前記ユーザ固有情報を記憶するユーザメモリを備え、
　前記ユーザメモリは、照合部の照合結果が照合成功を示すときにのみ、外部から前記ユーザ固有情報の更新や追加をするためのアクセスが許容されることを特徴とする認証システム。
【請求項１０】　請求項９において、
　前記認証トークンは、
　前記照合部に対して前記照合の開始を指示する指示器と、
　前記生体情報センサによる生体情報の読み取り期間が表示可能な表示器と　を有し、前記照合部は、前記指示器により前記照合の開始が指示されると、前記表示器に前記生体情報の読み取り期間を表示することを特徴とする認証システム。
【請求項１１】　請求項９において、
　前記認証情報出力部は、パスワードを生成して前記ユーザ固有情報として出力するパスワード生成装置を備え、
　前記キーボードエミュレータは、前記パスワード生成装置からのパスワードをキーボー
ドの打鍵信号に変換することを特徴とする認証システム。
【請求項１２】　請求項９において、
　前記認証情報出力部は、前記ユーザ固有情報を記憶するユーザメモリを備え、
　前記登録メモリには前記ユーザの複数の生体情報にそれぞれ対応する複数の登録生体情報が記憶されるとともに、前記ユーザメモリには前記複数の登録生体情報に対応して前記ユーザの複数の固有情報が記憶され、
　前記照合部は、生体情報センサにより読み取られた生体情報と登録メモリの複数の登録生体情報とを照合し、
　前記キーボードエミュレータは、前記照合部の照合結果が照合成功を示したときの登録生体情報に応じた前記ユーザメモリの固有情報を入力してキーボードの打鍵信号に変換することを特徴とする認証システム。
【請求項１３】　請求項１２において、
　前記生体情報センサは、前記ユーザの生体のそれぞれの向きに応じた読み取りを行って生体情報として出力し、
　前記照合部は、生体情報センサから出力された生体情報と登録メモリの登録生体情報とを照合し、
　前記キーボードエミュレータは、前記照合部の照合結果が照合成功を示したときの生体情報の向きに応じた前記ユーザメモリの固有情報を選択することを特徴とする認証システム。
【請求項１４】　請求項１２において、
　前記生体情報センサは、前記ユーザの複数の生体を順次読み取ってそれぞれ異なる生体情報として順次出力し、
　前記照合部は、生体情報センサから出力された生体情報と登録メモリの登録生体情報とを順次照合し、
　前記キーボードエミュレータは、前記照合部の照合結果が照合成功を示したときの照合が成功した登録生体情報の順序に応じた前記ユーザメモリの固有情報を選択することを特徴とする認証システム。
【請求項１５】　請求項１３において、
　前記認証情報出力部は、前記ユーザ固有情報を記憶するユーザメモリを備え、
　前記認証トークンは、
　パスワードの生成を指示する指示器と、
　前記指示器によりパスワードの生成が指示されると、パスワードを生成して前記ユーザメモリに前記ユーザ固有情報として記憶するとともに、前記キーボードエミュレータに出力するパスワード生成装置と　を有することを特徴とする認証システム。
【請求項１６】　請求項１３において、
　前記認証情報出力部は、前記ユーザ固有情報を記憶するユーザメモリを備え、
　前記認証トークンは、
　前記利用機器から送信される登録用ユーザ固有情報を第１の通信回路を介して受信すると前記ユーザメモリのユーザ固有情報を前記登録用ユーザ固有情報に更新する更新手段を備えたことを特徴とする認証システム。
【請求項１７】　ユーザの生体情報の読み取りを行う生体情報センサと、
　前記ユーザの登録生体情報を予め記憶する登録メモリと、
　少なくとも前記ユーザの固有情報の出力が可能な認証情報出力部と、
　生体情報センサにより読み取られた生体情報と登録メモリの登録生体情報とを照合するとともに、照合結果が照合成功を示すとき前記認証情報出力部のユーザ固有情報を、利用機器からの提供サービスに対応したエミュレータ信号に変換して前記利用機器に出力し前記利用機器からサービスを提供させるエミュレータ部とを備え、
　前記エミュレータ部は、
　生体情報センサにより読み取られた生体情報と登録メモリの登録生体情報とを照合する照合部と、
　前記照合部の照合結果が照合成功を示すとき前記認証情報出力部のユーザ固有情報をキーボードの打鍵信号に変換するキーボードエミュレータと、
　前記キーボードエミュレータにより変換された打鍵信号を前記エミュレータ信号として前記利用機器に送信する通信回路と　を有し、
　前記認証情報出力部は、前記ユーザ固有情報を記憶するユーザメモリを備え、
　前記ユーザメモリは、照合部の照合結果が照合成功を示すときにのみ、外部から前記ユーザ固有情報の更新や追加をするためのアクセスが許容されることを特徴とする認証トークン。
【請求項１８】　請求項１７において、
　前記照合部に対して前記照合の開始を指示する指示器と、
　前記生体情報センサによる生体情報の読み取り期間が表示可能な表示器と　を有し、前記照合部は、前記指示器により前記照合の開始が指示されると、前記表示器に前記生体情報の読み取り期間を表示することを特徴とする認証トークン。
【請求項１９】　請求項１７において、
　前記認証情報出力部は、パスワードを生成して前記ユーザ固有情報として出力するパスワード生成装置を備え、前記キーボードエミュレータは、前記パスワード生成装置からのパスワードをキーボードの打鍵信号に変換することを特徴とする認証トークン。
【請求項２０】　請求項１７において、
　前記認証情報出力部は、前記ユーザ固有情報を記憶するユーザメモリを備え、
　前記登録メモリには前記ユーザの複数の生体情報にそれぞれ対応する複数の登録生体情報が記憶されるとともに、前記ユーザメモリには前記複数の登録生体情報に対応して前記ユーザの複数の固有情報が記憶され、
　前記照合部は、生体情報センサにより読み取られた生体情報と登録メモリの複数の登録生体情報とを照合し、
　前記キーボードエミュレータは、前記照合部の照合結果が照合成功を示したときの登録生体情報に応じた前記ユーザメモリの固有情報を入力してキーボードの打鍵信号に変換することを特徴とする認証トークン。
【請求項２１】　請求項２０において、
　前記生体情報センサは、前記ユーザの生体のそれぞれの向きに応じた読み取りを行って生体情報として出力し、
　前記照合部は、生体情報センサから出力された生体情報と登録メモリの登録生体情報とを照合し、
　前記キーボードエミュレータは、前記照合部の照合結果が照合成功を示したときの生体情報の向きに応じた前記ユーザメモリの固有情報を選択することを特徴とする認証トークン。
【請求項２２】　請求項２０において、
　前記生体情報センサは、前記ユーザの複数の生体を順次読み取ってそれぞれ異なる生体情報として順次出力し、
　前記照合部は、生体情報センサから出力された生体情報と登録メモリの登録生体情報とを順次照合し、
　前記キーボードエミュレータは、前記照合部の照合結果が照合成功を示したときの照合が成功した登録生体情報の順序に応じた前記ユーザメモリの固有情報を選択することを特徴とする認証トークン。
【請求項２３】　請求項１７において、
　前記認証情報出力部は、前記ユーザ固有情報を記憶するユーザメモリを備え、
　パスワードの生成を指示する指示器と、
　前記指示器によりパスワードの生成が指示されると、パスワードを生成して前記ユーザメモリに前記ユーザ固有情報として記憶するとともに、前記キーボードエミュレータに出力するパスワード生成装置と　を有することを特徴とする認証トークン。
【請求項２４】　請求項１７において、
　前記認証情報出力部は、前記ユーザ固有情報を記憶するユーザメモリを備え、
　前記利用機器から送信される登録用ユーザ固有情報を通信回路を介して受信すると前記ユーザメモリのユーザ固有情報を前記登録用ユーザ固有情報に更新する更新手段を備えたことを特徴とする認証トークン。」
　
（２）補正の適否の判断
（２−１）先ず、本件補正が、特許法第１７条の２第４項各号に掲げる事項を目的とするものであるかについて検討する。
　
（イ）最初に、本件補正が特許法第１７条の２第４項第１号（第三十六条第五項に規定する請求項の削除）を目的としたものであるか検討すると、本件補正により、請求項の数を２７から２４に減じているものの、上記のとおり、補正後の請求項２から８に係る発明である「認証方法」は、発明を特定するための事項として請求項１を引用することにより、「照合結果が照合成功を示すときのみ認証情報出力部に設けられユーザ固有情報を記憶するユーザメモリへ、前記ユーザ固有情報の更新や追加をするためのアクセスを許容する」事項を含んでいるのに対し、補正前の請求項２，３，５から９に係る発明の「認証方法」では、「照合結果が照合成功を示すときのみ認証情報出力部に設けられユーザ固有情報を記憶するユーザメモリへ、前記ユーザ固有情報の更新や追加をするためのアクセスを許容する」事項を含む補正前の請求項４を引用していないので、補正後の請求項２から８に係る発明は、補正前の請求項２，３，５から９に係る発明のいずれとも発明を特定するための事項が異なっている。
　さらに、補正後の請求項１０から１６に係る発明である「認証システム」は、発明を特定するための事項として請求項９を引用することにより、「前記認証情報出力部は、前記ユーザ固有情報を記憶するユーザメモリを備え、
　前記ユーザメモリは、照合部の照合結果が照合成功を示すときにのみ、外部から前記ユーザ固有情報の更新や追加をするためのアクセスが許容される」事項を含んでいるのに対し、補正前の請求項１１，１２，１４から１８に係る発明の「認証システム」では、「前記認証情報出力部は、前記ユーザ固有情報を記憶するユーザメモリを備え、
　前記ユーザメモリは、照合部の照合結果が照合成功を示すときに外部からのアクセスが許容される」事項を含む補正前の請求項１３を引用していないので、補正後の請求項１０から１６に係る発明は、補正前の請求項１１，１２，１４から１８に係る発明のいずれとも発明を特定するための事項が異なっている。
　さらに、補正後の請求項１８から２４に係る発明である「認証トークン」は、発明を特定するための事項として請求項１７を引用することにより、「前記認証情報出力部は、前記ユーザ固有情報を記憶するユーザメモリを備え、
　前記ユーザメモリは、照合部の照合結果が照合成功を示すときにのみ、外部から前記ユーザ固有情報の更新や追加をするためのアクセスが許容される」事項を含んでいるのに対し、補正前の請求項２０，２１，２３から２７に係る発明の「認証トークン」では、「前記認証情報出力部は、前記ユーザ固有情報を記憶するユーザメモリを備え、
　前記ユーザメモリは、照合部の照合結果が照合成功を示すときに外部からのアクセスが許容される」事項を含む補正前の請求項２２を引用していないので、補正後の請求項１８から２４に係る発明は、補正前の請求項２０，２１，２３から２７に係る発明のいずれとも発明を特定するための事項が異なっている。
　してみると、本件補正により請求項の数が補正前の特許請求の範囲の請求項数と比較して２７から２４に減じてはいるものの、本件補正は、補正前の特許請求の範囲の請求項１から２７に係る発明とは発明を特定するための事項が異なる請求項２から８，１０から１６，１８から２４に係る発明を、新たな請求項として実質的に追加しているので、本件補正は特許法第１７条の２第４項第１号（第三十六条第五項に規定する請求項の削除）にいう請求項の削除を目的としたものではない。
　
（ロ）次に、本件補正が、特許法第１７条の２第４項第２号の特許請求の範囲の減縮（請求項に記載した発明を特定するために必要な事項を限定するものであって、その補正前の当該請求項に記載された発明とその補正後の請求項に記載される発明の産業上の利用分野及び解決使用とする課題が同一であるもの）を目的とするものであるかについて検討する。
　上述したように本件補正により、補正前の特許請求の範囲の請求項２，３，５から９に係る発明に、「照合結果が照合成功を示すときのみ認証情報出力部に設けられユーザ固有情報を記憶するユーザメモリへ、前記ユーザ固有情報の更新や追加をするためのアクセスを許容する」事項を新たに追加し、さらに補正前の請求項１１，１２，１４から１８に係る発明、補正前の請求項２０，２１，２３から２７に係る発明に、「前記認証情報出力部は、前記ユーザ固有情報を記憶するユーザメモリを備え、
　前記ユーザメモリは、照合部の照合結果が照合成功を示すときにのみ、外部から前記ユーザ固有情報の更新や追加をするためのアクセスが許容される」事項をそれぞれ新たに追加しているが、上述した新たな発明を特定する事項の追加は、請求項に記載した発明を特定するために必要な事項を限定するものではないので、本件補正は、特許法第１７条の２第４項第２号の特許請求の範囲の減縮（請求項に記載した発明を特定するために必要な事項を限定するものであって、その補正前の当該請求項に記載された発明とその補正後の請求項に記載される発明の産業上の利用分野及び解決使用とする課題が同一であるもの）を目的とするものではない。
　
（ハ）次に、本件補正が特許法第１７条の２第４項第３号、第４号を目的としたものであるか検討すると、平成１６年９月８日付けでなされた拒絶査定は、補正前の特許請求の範囲における請求項１から２７に記載されている事項について、不明りょうであるとの指摘はされていないので、本件補正は特許法第１７条の２第４項第４号を目的としたものではなく、かつ本件補正は誤記の訂正でもないことから、特許法第１７条の２第４項第３号を目的としていない。
　
（ニ）したがって、本件補正は、審判請求時における特許請求の範囲についての特許法第１７条の２第４項各号に掲げる事項のいずれを目的とした補正ではないので、同項の規定に適合していない。
　
（２−２）次に、仮に本件補正が特許法第１７条の２第４項第２号の特許請求の範囲の減縮を目的とするものとした場合において、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について以下に検討する。
　
（一）本願補正発明
　本願補正発明は、
　
「【請求項１】　生体情報センサによりユーザの生体情報の読み取りを行う第１のステップと、
　第１のステップの処理に基づき読み取られた生体情報と登録メモリの登録生体情報とを照合し、照合結果が照合成功を示すときのみ認証情報出力部に設けられユーザ固有情報を記憶するユーザメモリへ、前記ユーザ固有情報の更新や追加をするためのアクセスを許容するとともに、前記認証情報出力部の前記ユーザ固有情報を、利用機器からの提供サービスに対応したエミュレータ信号に変換し前記利用機器に送信する第２のステップと、
　前記第２のステップの処理により送信されたエミュレータ信号に基づいて前記利用機器から前記ユーザにサービスを提供する第３のステップと
　を有し、
　前記第２のステップにおける処理は、
　生体情報センサにより読み取られた生体情報と登録メモリの登録生体情報とを照合し照合結果を出力する第４のステップと、
　第４のステップの処理に基づく照合結果が照合成功を示すときには前記認証情報出力部のユーザ固有情報をキーボードの打鍵信号に変換し前記エミュレータ信号として前記利用機器に送信する第５のステップとを含み、
　前記第３のステップにおける処理は、前記第５のステップの処理により送信された打鍵信号に基づいて前記利用機器がサービスプログラムを実行し前記ユーザにサービスを提供する処理を含むことを特徴とする認証方法。」
　
であると認める。
　
（二）引用発明
　これに対して、原査定の拒絶の理由に引用された、本願の優先権主張の日前である平成１３年８月３１日に頒布された特開２００１−２３６３２４号公報（以下、「引用文献１」という。）には、次の事項が記載されている。
　
（ａ）「【０００３】上述のような携帯電子装置において種々のアプリケーションを起動・実行する際、ユーザはアプリケーション毎にＩＤやパスワードを入力する必要がある。同様に、銀行決済機能や電子商取引機能等を用いる際、ユーザは利用銀行等の口座番号や暗証番号を入力する必要がある。上述したＩＤや口座番号は、通常、メモリ等に予め記憶されておりユーザ自身によって入力されることはないが、パスワードや暗証番号は、ユーザによってプッシュボタン（テンキー）から入力され、本人認証・確認のために利用されている。」
　
（ｂ）「【００２０】
【発明の実施の形態】以下、図面を参照して本発明の実施の形態を説明する。
〔１〕第１実施形態の説明
図１は本発明の第１実施形態としてのバイオメトリクス情報による個人認証機能を有する携帯電子装置の原理的な機能構成を示すブロック図であり、この図１に示すように、第１実施形態の携帯電子装置１は、所有者によって携帯されて各種個人情報等を記憶しながら各種電子情報に対する処理を行なうもので、例えば、携帯電話，携帯電子情報端末等のモバイルギアである。
【００２１】そして、携帯電子装置１は、バイオメトリクス情報（例えば、指紋，掌紋，指形，掌形，音声，網膜，虹彩，顔画像，動的署名，血管パターン，キーストローク等）を用いて個人の認証を行なうべく、バイオメトリクス情報入力部１０，バイオメトリクス特徴情報抽出部２０，バイオメトリクス特徴情報照合部３０および参照用バイオメトリクス特徴情報保存部７０をそなえるほか、暗証コード保存部４０，情報表示部５０および表示制御部６０をそなえて構成されている。
【００２２】ここで、バイオメトリクス情報入力部（入力部）１０は、認証対象者のバイオメトリクス情報を計測して入力するものである。バイオメトリクス特徴情報抽出部（抽出部）２０は、バイオメトリクス情報入力部１０により計測・入力されたバイオメトリクス情報から照合用バイオメトリクス特徴情報を抽出するものである。
【００２３】参照用バイオメトリクス特徴情報保存部（記憶部）７０は、携帯電子装置１の所有者についての参照用バイオメトリクス特徴情報を予め保存するものである。バイオメトリクス特徴情報照合部（照合部）３０は、バイオメトリクス特徴情報抽出部２０により抽出された照合用バイオメトリクス特徴情報と参照用バイオメトリクス特徴情報保存部７０に保存されている参照用バイオメトリクス特徴情報とを比較・照合するものである。
【００２４】暗証コード保存部（保存部）４０は、携帯電子装置１の所有者についての秘密情報（暗証コード）を予め保存するものである。秘密情報として保存される暗証コードは、例えばパスワード，暗証番号，秘密鍵等を含むものである。情報表示部（表示部）５０は、各種情報を表示するものであり、表示制御部６０は、この情報表示部５０の表示状態を制御するものである。
【００２５】そして、第１実施形態の携帯電子装置１では、照合用バイオメトリクス特徴情報と参照用バイオメトリクス特徴情報とをバイオメトリクス特徴情報照合部３０により照合した結果、バイオメトリクス特徴情報抽出部２０で抽出された照合用バイオメトリクス特徴情報が所有者本人のものであると認識されると、表示制御部６０は、暗証コードを暗証コード保存部４０から読み出し、その暗証コードを情報表示部５０に表示させるように制御する。」
　
（ｃ）「【００５９】〔５〕第５実施形態の説明
図８は本発明の第５実施形態としてのバイオメトリクス情報による個人認証機能を有する携帯電子装置の機能構成を示すブロック図であり、この図８に示す第５実施形態の携帯電子装置１Ｅは、図２に示した第１実施形態の携帯電子装置１Ａにおいて、暗証コード保存部４０に代えて暗証コード保存部４２をそなえるとともに、新たにシステム名選択部９１を追加したものである。なお、図８中、既述の符号と同一の符号は同一もしくはほぼ同一の部分を示しているので、その詳細な説明は省略する。
【００６０】ここで、第５実施形態の暗証コード保存部（保存部）４２においては、パスワード，暗証番号，秘密鍵等を含む暗証コード（秘密情報）が、その暗証コードを特定するための特定情報（アカウント名，ＩＤ，計算機名，ＩＰアドレス等を含むアカウント情報；より具体的には口座番号等）と、これらの暗証コードおよびアカウント情報を特定するための上位情報（アカウント情報に対応するシステム名；より具体的には銀行名，アプリケーション名，計算機名等）とに対応させて保存されている。
【００６１】システム名選択部（上位情報選択部）９１は、表示部５０において表示すべき暗証コードおよびアカウント情報を特定すべくシステム名を選択・指定するためのものである。このシステム名選択部９１としての機能は、例えば、暗証コード保存部４２に記憶されているシステム名を表示制御部６０により表示部５０上に表示してから、ユーザが、表示部５０上で表示されているシステム名の中から所望のものをカーソル等で選択・指定することにより実現される。このほか、システム名選択部９１としての機能は、例えば、所望のシステム名をキーボード等から入力して選択・指定することによっても実現される。システム名選択部９１は、実際にはカーソルキー，キーボード，セレクトボタン，タッチパネル等として提供されることになる。
【００６２】そして、照合用指紋特徴情報と参照用指紋特徴情報とを指紋特徴照合部３１により照合した結果、照合用指紋特徴情報が所有者本人のものであると認識されると、表示制御部６０は、システム名選択部９１により指定されたシステム名に対応する暗証コードおよびアカウント情報を暗証コード保存部４２から読み出し、これらの暗証コードおよびアカウント情報を表示部５０に表示させるように制御する。
【００６３】上述の構成により、第５実施形態の携帯電子装置１Ｅでは、ユーザは、アカウント情報を選択する代わりにシステム名（銀行名やアプリケーション名や計算機名を含む）を選択して指紋を入力すると、該当システムに対応したアカウント情報と暗証コードとが表示部５０上に表示される。例えば、「ＡＢＣ銀行」を選択して指紋を入力すると、そのＡＢＣ銀行の口座番号とキャッシュカードの暗証番号とが表示部５０上に表示される。また、「会社決済システム」を選択すると、決済システムアプリケーション用のユーザアカウントとパスワードとが表示部５０上に表示される。さらには、計算機リモートログインの場合は計算機名を選択すると、計算機用のアカウントとパスワードとが表示部５０上に表示される。クレジットカード会社の名前を選択するとクレジット番号と暗証番号とが表示部５０上に表示される。また、暗号ドキュメントの場合は、特定ＣＡ局名とそれに対応する暗号鍵とを表示部５０上に表示することも可能である。即ち、第５実施形態においては、システム名やアプリケーション名を上位にして検索させることで、アカウント自体の忘却や、どのアカウントがどのシステムに対応していたかを忘却することからユーザを守ることが可能になる。
【００６４】つまり、パスワード，暗証番号，秘密鍵等を含む暗証コードを、アカウント名，ＩＤ，計算機名，ＩＰアドレス等を含むアカウント情報と、システム名，銀行名，計算機名，アプリケーション名等を含む上位情報とに対応させて暗証コード保存部４２に保存しておくことにより、本人認識後に、システム名選択部９１で指定された上位情報に対応する暗証コードおよびアカウント情報が表示部５０に表示される。従って、複数種類の暗証コード（秘密情報）が保存されていても、ユーザは上位情報を用いて所望のアカウント情報や暗証コードを指定して表示部５０上で確認することができる。これにより、例えば、パスワード忘れのみならずＩＤ忘れに対してもサポートすることが可能になる。
【００６５】なお、システム名選択部９１による選択操作は、指紋を入力して本人認証を行なう前であっても後であってもよい。また、第５実施形態の携帯電子装置１Ｅにおいても、図３や図４に示したごとく、参照用指紋特徴情報保存部７１に代えて、ＩＣカードインターフェース部７２と参照用指紋特徴情報読出部７３、あるいは、参照用指紋特徴情報読出部７３と通信部７５をそなえ、外部から参照用バイオメトリクス特徴情報（参照用指紋特徴情報）を読み込むように構成してもよい。」
　
（ｄ）「【００６６】〔６〕第６実施形態の説明
図９は本発明の第６実施形態としてのバイオメトリクス情報による個人認証機能を有する携帯電子装置の機能構成を示すブロック図であり、この図９に示す第６実施形態の携帯電子装置１Ｆは、図８に示した第５実施形態の携帯電子装置１Ｅに、さらに外部出力インターフェース部８０をそなえたものである。なお、図９中、既述の符号と同一の符号は同一もしくはほぼ同一の部分を示しているので、その詳細な説明は省略する。
【００６７】ここで、外部出力インターフェース部（インターフェース部）８０は、第２および第４実施形態と同様、携帯電子情報端末やパーソナルコンピュータ等の情報機器（外部装置）１００に接続され、この情報機器１００に対して情報出力するためのものであり、第６実施形態の携帯電子装置１Ｆでは、照合用指紋特徴情報と参照用指紋特徴情報とを指紋特徴情報照合部３１により照合した結果、照合用指紋特徴情報が所有者本人のものであると認識されると、システム名選択部９１により指定された上位情報（システム名等）に対応する暗証コードおよびアカウント情報が、暗証コード保存部４２から読み出され、表示部５０上に表示されるとともに、外部出力インターフェース部８０から外部の情報機器１００へ出力されるようになっている。
【００６８】上述の構成により、第６実施形態の携帯電子装置１Ｆでは、本人認識後に、システム名選択部９１で指定された上位情報（例えばシステム名，アプリケーション名，計算機名，銀行名等）に対応する暗証コード（例えばパスワード，暗証番号，秘密鍵）およびアカウント情報（アカウント名，ＩＤ，計算機名，ＩＰアドレス，口座番号等）が外部出力インターフェース部８０から外部の情報機器１００へ出力されるので、複数種類の秘密情報（暗証コード）が保存されていても、ユーザは、上位情報を用いて所望の暗証コードおよびアカウント情報を指定して表示部５０上で確認するだけでなく、所望の暗証コードおよびアカウント情報を、外部の情報機器１００に直接的に出力することができ、ユーザの利便性をより向上することができる。」
　
（ｅ）「【００７０】〔７〕第７実施形態の説明
　図１０は本発明の第７実施形態としてのバイオメトリクス情報による個人認証機能を有する携帯電子装置の機能構成を示すブロック図であり、この図１０に示す携帯電子装置１Ｇは、図２に示した第１実施形態の携帯電子装置１Ａにおいて、暗証コード保存部４０，情報表示部５０および表示制御部６０に代えてメモリ部４５およびアクセス制御部６５をそなえたものである。なお、図１０中、既述の符号と同一の符号は同一もしくはほぼ同一の部分を示しているので、その詳細な説明は省略する。
【００７１】ここで、メモリ部４５は、所有者についての秘密情報（保険証の番号，医療関連情報，個人情報等）を保存・管理するためのものであり、アクセス制御部６５は、このメモリ部４５に保存された秘密情報に対するアクセスを制御するものである。そして、照合用指紋特徴情報と参照用指紋特徴情報とを指紋特徴照合部３１により照合した結果、照合用指紋特徴情報が所有者本人のものであると認識されると、アクセス制御部６５は、メモリ部４５における秘密情報に対するアクセス（読出，書込等）を許可している。
【００７２】上述の構成により、第７実施形態の携帯電子装置１Ｇでは、指紋情報入力部１１，指紋特徴情報抽出部２１および指紋特徴情報照合部３１の機能を用いて照合用指紋特徴情報が所有者本人のものであると認識されると、メモリ部４５における秘密情報に対するアクセスが可能になる。このようにして、携帯電子装置１Ｇには、メモリ部４５における個人（所有者）の秘密情報を指紋情報の照合で管理・保管しておく機能が付加される。
【００７３】つまり、携帯電子装置１Ｇ内に保存されている秘密情報が、盗難や模倣が不可能な指紋情報による個人認証を用いて保護・ガードされる。従って、指紋による所有者本人の確認を行なった上で、携帯電子装置１Ｇ内の秘密情報に対するアクセス（読出や書込）が行なわれるので、秘密情報について高いセキュリティ性能が確保される。
【００７４】なお、第７実施形態の携帯電子装置１Ｇにおいても、図３や図４に示したごとく、参照用指紋特徴情報保存部７１に代えて、ＩＣカードインターフェース部７２と参照用指紋特徴情報読出部７３、あるいは、参照用指紋特徴情報読出部７３と通信部７５をそなえ、外部から参照用バイオメトリクス特徴情報（参照用指紋特徴情報）を読み込むように構成してもよい。」
　
（ｆ）「【００９９】一方、本発明のバイオメトリクス情報による個人認証機能を有する携帯電子装置によれば、入力部，抽出部および照合部の機能を用いて照合用バイオメトリクス特徴情報が所有者本人のものであると認識されると、メモリ部における秘密情報に対するアクセスが可能になる（請求項１０）。このようにして、本発明の携帯電子装置には、メモリ部における個人（所有者）の秘密情報をバイオメトリクス情報の照合で管理・保管しておく機能が付加される。つまり、携帯電子装置内に保存されている秘密情報が、盗難や模倣が不可能なバイオメトリクス情報による個人認証を用いて保護・ガードされる。従って、例えば指紋で所有者本人の確認を行なった上で、携帯電子装置内の秘密情報に対するアクセス（読出や書込）が行なわれるので、秘密情報について高いセキュリティ性能が確保される。」
　
　上記（ａ）には、ユーザが入力するＩＤやパスワードはアプリケーション毎に入力するものであって、それによってアプリケーションを起動・実行することで、前記ユーザは例えば銀行決済機能や電子商取引機能等のサービスを利用できることが記載されている。
　上記（ｂ）には、第１実施形態の説明として、携帯電子装置が行う個人認証機能は、バイオメトリクス情報入力部によって認証対象者の、例えば指紋等のバイオメトリクス情報を計測して入力し、　前記計測・入力されたバイオメトリクス情報から抽出された照合用バイオメトリクス特徴情報と、参照用バイオメトリクス特徴情報保存部で予め保存された所有者についての参照用バイオメトリクス特徴情報とをバイオメトリクス特徴情報照合部にて比較・照合し、照合した結果、前記照合用バイオメトリクス情報が所有者本人のものであると認識されると、暗証コード保存部（保存部）で予め保存している所有者についての秘密情報を読み出すことが記載されている。
　上記（ｃ）には、第５実施形態として、上記第１実施形態の携帯電子装置に新たにシステム名選択部を追加すると共に、暗証コード保存部には、暗証コードを、その暗証コードを特定するためのアカウント情報と、これらの暗証コードおよびアカウント情報を特定するための前記アカウント情報に対応するシステム名、アプリケーション名、計算機名等とに対応させて保存し、照合用指紋特徴情報が所有者本人のものであると認識されると、前記システム名選択部によって選択されたシステム名に対応する暗証コードおよびアカウント情報を前記暗号コード保存部から読み出すことが記載されている。
　上記（ｄ）には、第６実施形態として、上記第５実施形態の携帯電子装置に外部出力インターフェース部を備え、該外部出力インタフェース部をパーソナルコンピュータ等の情報機器に接続し、照合用指紋特徴情報が所有者本人のものであると認識されると、システム名選択部により指定された上位情報に対応する暗証コードおよびアカウント情報が、暗証コード保存部から読み出され前記外部出力インターフェース部から外部の情報機器へ直接的に出力することが記載されている。
　上記（ｅ）、（ｆ）には、第７実施形態として、第１実施形態の携帯電子装置において、認証コード保存部に代えてメモリ部およびアクセス制御部をそなえ、前記メモリ部は所有者についての秘密情報を保存・管理するものであり、前記アクセス制御部は、前記メモリ部に保存された秘密情報に対するアクセスを制御するものであって、照合用指紋特徴情報と参照用指紋特徴情報とを指紋特徴照合部により照合した結果、照合用指紋特徴情報が所有者本人のものであると認識されると、前記アクセス制御部は、メモリ部における秘密情報に対する読出、書込等のアクセスを許可することが記載されている。
　さらに、上記（ａ）はパスワードなどの個人秘密情報による個人認証機能を有する電子装置について記載したものであり、また、上記（ｂ）から（ｆ）はバイオメトリクス情報による個人認証機能を有する電子装置の第１実施形態に基づいて、該電子装置へ構成要件を追加したり、該電子装置のそれぞれ異なる構成要件の一部を変更することで構成したそれぞれ異なる実施形態について記載したものであるから、電子装置における個人認証方法を考慮するにあたり、これらの上記（ａ）から（ｆ）の記載事項を相互に組み合わせ可能であることは、当業者にとって自明なことである。
　してみると、引用文献１には次の発明（以下、「引用文献１記載の発明」という。）が記載されている。 
　
　バイオメトリクス情報入力部により認証対象者のバイオメトリクス情報を計測して入力するステップと、
　計測・入力されたバイオメトリクス情報から抽出した照合用バイオメトリクス特徴情報と参照用バイオメトリクス特徴情報保存部に予め保存されている参照用バイオメトリクス特徴情報とを比較・照合し、前記照合用バイトメトリクス特徴情報が所有者本人のものであると認識されると、携帯電子装置に設けられた所有者についての秘密情報とアカウント情報とを予め保存・管理する保存部に対して前記所有者についての秘密情報とアカウント情報の読出、書込等のアクセスを許可するとともに、前記携帯電子装置の前記保存部で予め保存している前記所有者についての秘密情報とアカウント情報とを、システム名選択部により指定された外部の情報機器へ直接的に出力するステップと、
　前記秘密情報とアカウント情報に基づいて前記外部の情報機器からアプリケーションを起動・実行することで前記所有者にサービスを提供するステップと
　を有し、
　前記出力するステップにおける処理は、
　バイオメトリクス情報入力部により計測されたバイオメトリクス情報から抽出した照合用バイオメトリクス特徴情報と参照用バイオメトリクス特徴情報保存部に予め保存されている参照用バイオメトリクス特徴情報とを比較・照合して照合した結果を出力するステップと、
　前記照合した結果を出力するステップに基づく照合結果が、所有者本人のものであると認識されると、前記携帯電子装置の前記保存部で予め保存している前記所有者についての秘密情報とアカウント情報とを前記外部の情報機器に出力するステップとを含み、
　前記サービスを提供するステップにおける処理は、前記情報機器に出力するステップの処理により出力された秘密情報とアカウント情報とに基づいて前記外部の情報機器がアプリケーションを起動・実行し前記所有者にサービスを提供する処理を含むことを特徴とする個人認証方法。
　
　また、原査定の拒絶の理由に引用された、本願の優先権主張の日前である平成１１年２月２６日に頒布された特開平１１−５３３１７号公報（以下、「引用文献２」という。）には、次の事項が記載されている。
　
（ｇ）「【０００６】本発明の目的は、指紋パスワード照合システムのパスワード忘れやパスワード漏れを確実に防止できるという長所を維持しながら、現在使用しているシステムとの親和性が高いとともに、ネットワークを介する複数の異質なシステムにも応用可能なパスワード入力装置を提供することにある。」
　
（ｈ）「【００１９】また、パスワード入力装置２は、パスワードを送出するためのインターフェース２ｈおよびキーボード３からの入力を受け入れるためのインタフェース２ｉを具備し、キーボード３の代わりにインタフェース２ｈをコンピュータ１のキーボードインターフェースに接続することにより使用される。なお、キーボード３は、パスワード入力装置２のインタフェース２ｉに接続してキーボード３からの入力をコンピュータ１にそのまま流すか、または別の方法を用いてコンピュータ１に接続するものとする。ただし、パスワード入力装置２にキーボード３をかならず接続して使用しなければならないわけではない。」
　
（ｉ）「【００２２】次に、このように構成された第１の実施の形態に係るパスワード入力装置２の動作について説明する。
【００２３】通常のパスワードを入力するという運用形態では、使用者がカメラ部２ｃに指をおくと、特徴点抽出部２ｅが、カメラ部２ｃから入力された指紋の特徴点を抽出し、特徴点情報を制御部２ｄに伝える。
【００２４】制御部２ｄは、特徴点情報をキーとしてデータベース部２ｆから特徴点情報と対に登録されているパスワードを取り出し、インタフェース２ｈを介してコンピュータ１に送出する。データベース部２ｆに該当する特徴点情報が登録されていない使用者の場合は、何も送出しない。」
　
　上記（ｇ）より、指紋パスワード照合システムと現在使用しているシステムとの親和性を高めることを目的としたことが記載されている。
　上記（ｈ）より、パスワード入力装置では、キーボードからの入力がそのまま流れるインタフェース２ｈを、コンピュータのキーボートインタフェースに接続し、該インタフェース２ｈを介してパスワードを送出することが記載されている。
　上記（ｉ）より、パスワード入力装置の動作として、データベース部において、カメラ部から入力された指紋の特徴点と対に登録されているパスワードをインタフェース２ｈを介して前記パスワードをコンピュータに送出することが記載されている。
　してみると、引用文献２には次の発明が記載されている。 
　
　指紋パスワード照合システムと現在使用しているシステムとの親和性を高めることを目的とした指紋パスワード照合システムにおいて、カメラ部から入力された指紋の特徴点と対に登録されているパスワードを、コンピュータのキーボードインタフェースに接続されると共に前記キーボードからの入力を前記コンピュータにそのまま流すインタフェースを介して、前記コンピュータに送出する方法。
　
（三）対比
　引用文献１記載の発明と本願補正発明とを対比すると、引用文献１記載の発明における「バイオメトリクス情報入力部」は、本願補正発明の「生体情報センサ」に相当し、以下同様に「参照用バイオメトリクス特徴情報保存部」、「携帯電子装置」、「所有者についての秘密情報とアカウント情報」、「保存部」、「外部の情報機器」は、「登録メモリ」、「認証情報出力部」、「ユーザ固有情報」、「ユーザメモリ」、「利用機器」にそれぞれ相当する。
　さらに、引用文献１記載の発明では、個人認証機能を用いることで認証対象者が所有者本人であると認識していることから、引用文献１記載の発明における「認証対象者」および「所有者」は、本願補正発明の「ユーザ」に相当する。
　さらに、引用文献１記載の発明では、認証対象者のバイオメトリクス情報をバイオメトリクス情報入力部が計測して入力いるが、該計測・入力処理は対象者の生体情報を読み取る処理であるので、引用文献１記載の発明における「バイオメトリクス情報を計測して入力するステップ」は、本願補正発明の「生体情報の読み取りを行う第１のステップ」に相当する。
　さらに、引用文献１記載の発明では、計測・入力されたバイオメトリクス情報から照合用バイオメトリクス特徴情報を抽出しているが、前記バイオメトリクス情報は「バイオメトリクス情報を計測して入力するステップ」により得られるものであり、照合用バイオメトリクス特徴情報は前記バイオメトリクス情報に基づいて抽出していることから、引用文献１記載の発明における「計測・入力されたバイオメトリクス情報から抽出した照合用バイオメトリクス特徴情報」は、本願補正発明の「第１のステップの処理に基づき読み取られた生体情報」に相当する。
　さらに、引用文献１記載の発明では、照合用バイオメトリクス特徴情報と参照用バイオメトリクス特徴情報とを比較・照合し、前記照合用バイオメトリクス特徴情報が所有者本人のものであると認識される場合に所有者の秘密情報を保管・管理する保存部へのアクセスを許可しているが、照合用バイオメトリクス特徴情報が所有者本人のものであると認識される場合とは、前記比較の結果が一致し、前記照合が成功することであるから、引用文献１記載の発明における「比較・照合し、前記照合用バイトメトリクス特徴情報が所有者本人のものであると認識されると、」との条件は、本願補正発明の「照合し、照合結果が照合成功を示すときのみ」に相当する。
　さらに、引用文献１記載の発明では、所有者についての秘密情報とアカウント情報とを予め保存・管理している保存部における前記秘密情報と前記アカウント情報とに対するアクセスとは、読出、書込等のことであるが、前記保存部に対する前記秘密情報やアカウント情報の更新や追加が書込によるアクセスで行われることを勘案すれば、引用文献１記載の発明における「保存部に対して前記所有者についての秘密情報とアカウント情報の読出、書込等のアクセスを許可する」ことは、本願補正発明の「前記ユーザ固有情報の更新や追加をするためのアクセスを許容する」ことに相当する。
　さらに、引用文献１記載の発明では、システム名選択部により指定された外部の情報機器に対して所有者についての秘密情報とアカウント情報とを直接的に出力しているが、システム名選択部により指定された外部の情報機器とは、所有者がアプリケーションの起動・実行を行う携帯電子装置以外の情報機器であり、前記アカウント情報は前記情報機器に対応した信号であるから、引用文献１記載の発明における「前記携帯電子装置の前記保存部で予め保存している前記所有者についての秘密情報とアカウント情報とを、システム名選択部により指定された外部の情報機器へ直接的に出力するステップ」と、本願補正発明の「前記認証情報出力部の前記ユーザ固有情報を、利用機器からの提供サービスに対応したエミュレータ信号に変換し前記利用機器に送信する第２のステップ」とは、認証情報出力部のユーザ固有情報を、利用機器からの提供サービスに対応して前記利用機器に送信する第２のステップである点で一致している。
　さらに、引用文献１記載の発明では、上述した外部の情報機器は秘密情報とアカウント情報の入力に基づいて外部の情報機器がアプリケーションの起動・実行を行うことで、所有者に対してサービスを提供しているから、引用文献１記載の発明における「前記秘密情報とアカウント情報に基づいて前記外部の情報機器からアプリケーションを起動・実行することで前記所有者にサービスを提供するステップ」と、本願補正発明における「前記第２のステップの処理により送信されたエミュレータ信号に基づいて前記利用機器から前記ユーザにサービスを提供する第３のステップ」とは、第２のステップの処理により送信された信号に基づいて利用機器からユーザにサービスを提供する第３のステップである点で一致している。
　さらに上述したように、引用文献１記載の発明における「出力するステップ」が本願補正発明の「第２のステップ」に対応することを勘案すれば、引用文献１記載の発明における、出力するステップにおける処理として含まれる、バイオメトリクス情報入力部により計測されたバイオメトリクス情報から抽出した照合用バイオメトリクス特徴情報と参照用バイオメトリクス特徴情報保存部に予め保存されている参照用バイオメトリクス特徴情報とを比較・照合して照合した結果を出力するステップは、本願補正発明の第２のステップにおける処理に含まれる「生体情報センサにより読み取られた生体情報と登録メモリの登録生体情報とを照合し照合結果を出力する第４のステップ」に相当しており、同じく、引用文献１記載の発明における、出力するステップにおける処理として含まれる、照合した結果を出力するステップに基づく照合結果が、所有者本人のものであると認識されると、前記携帯電子装置の前記保存部で予め保存している前記所有者についての秘密情報とアカウント情報とを前記外部の情報機器に出力するステップと、本願補正発明の第２のステップにおける処理に含まれる「第４のステップの処理に基づく照合結果が照合成功を示すときには前記認証情報出力部のユーザ固有情報をキーボードの打鍵信号に変換し前記エミュレータ信号として前記利用機器に送信する第５のステップ」とは、第４のステップの処理に基づく照合結果が照合成功を示すときには前記認証情報出力部のユーザ固有情報を前記利用機器に送信する第５のステップである点で一致している。
　さらに上述したように、引用文献１記載の発明における「サービスを提供するステップ」、「情報機器に出力するステップ」が、本願補正発明の「第３のステップ」、「第５のステップ」にそれぞれ相当ないし対応していることを勘案すれば、前記サービスを提供するステップにおける処理として前記情報機器に出力するステップの処理により出力された秘密情報とアカウント情報とに基づいて前記外部の情報機器がアプリエーションを起動・実行し前記所有者にサービスを提供する処理を含む引用文献１記載の発明である個人認証方法は、本願補正発明の「第３のステップにおける処理は、前記第５のステップの処理により送信された打鍵信号に基づいて前記利用機器がサービスプログラムを実行し前記ユーザにサービスを提供する処理を含むことを特徴とする認証方法」と、第３のステップにおける処理は、前記第５のステップの処理により送信された信号に基づいて前記利用機器がサービスプログラムを実行し前記ユーザにサービスを提供する処理を含むことを特徴とする認証方法である点で一致している。
　してみると、引用文献１記載の発明と本願補正発明とは、
　
　生体情報センサによりユーザの生体情報の読み取りを行う第１のステップと、
　第１のステップの処理に基づき読み取られた生体情報と登録メモリの登録生体情報とを照合し、照合結果が照合成功を示すときのみ認証情報出力部に設けられユーザ固有情報を記憶するユーザメモリへ、前記ユーザ固有情報の更新や追加をするためのアクセスを許容するとともに、前記認証情報出力部の前記ユーザ固有情報を、利用機器からの提供サービスに対応した信号として前記利用機器に送信する第２のステップと、
　前記第２のステップの処理により送信された信号に基づいて前記利用機器から前記ユーザにサービスを提供する第３のステップと
　を有し、
　前記第２のステップにおける処理は、
　生体情報センサにより読み取られた生体情報と登録メモリの登録生体情報とを照合し照合結果を出力する第４のステップと、
　第４のステップの処理に基づく照合結果が照合成功を示すときには前記認証情報出力部のユーザ固有情報を前記利用機器に送信する第５のステップとを含み、
　前記第３のステップにおける処理は、前記第５のステップの処理により送信された信号に基づいて前記利用機器がサービスプログラムを実行し前記ユーザにサービスを提供する処理を含むことを特徴とする認証方法。
　
の点で一致し、以下の点で相違する。
　
（相違点）
　第２のステップ及び第５のステップにおいて、認証情報出力部のユーザ固有情報を、利用機器からの提供サービスに対応して前記利用機器に送信する信号の形式が、本願補正発明では、キーボードの打鍵信号に変換したエミュレータ信号であるのに対し、引用文献１記載の発明では、秘密情報とアカウント情報とを、システム名選択部により指定された外部の情報機器へ直接的に送信するものの、どのような信号形式で送信するかについては開示されていない点。
　
（四）判断
　上記相違点について、以下で検討する。
　指紋パスワード照合システムと現在使用しているシステムとの親和性を高めることを目的とした指紋パスワード照合システムにおいて、カメラ部から入力された指紋の特徴点と対に登録されているパスワードを、コンピュータのキーボードインタフェースに接続されると共に前記キーボードからの入力を前記コンピュータにそのまま流すインタフェースを介して、前記コンピュータに送出する方法は、引用文献２に記載されている。
　ここで、キーボードからの入力をコンピュータにそのまま流すとは、キーボートからの入力に対応した信号、つまり打鍵信号をコンピュータに送出していることであるから、引用文献２に記載されている前記技術は、カメラ部から入力された生体情報を対になるパスワードの打鍵信号に変換し、キーボードから入力した信号のようにエミュレートした前記パスワードをコンピュータに送出する技術である。
　そして、引用文献１，２に記載された発明は、共に指紋などの生体情報からユーザ固有情報を生成し、外部の情報機器へ送信して認証処理を行う技術であるから、引用文献１記載の発明における外部の情報機器へ直接的に出力する信号形式として、引用文献２に記載されている発明を採用し、第２のステップ及び第５のステップにおいて、認証情報出力部のユーザ固有情報を利用機器からの提供サービスに対応して前記利用機器に送信する信号の形式を、キーボードの打鍵信号に変換したエミュレータ信号とすることは、当業者が容易になし得たことである。
　
　そして、本願補正発明の作用効果も、引用文献１記載の発明と引用文献２に記載された発明から当業者が予測できる範囲のものである。
　
　したがって、本願補正発明は、引用文献１記載の発明と引用文献２に記載された発明に基づいて、当業者が容易に発明をすることができたものであるから、特許法第２９条第２項の規定により特許出願の際独立して特許を受けることができないものである。
　
（３）むすび
　以上のとおり、本件補正は、審判請求時における特許請求の範囲についての特許法第１７条の２第４項各号に掲げる事項のいずれを目的とした補正ではないので、同項の規定に適合しておらず、また、仮に特許法第１７条の２第４項第２号の特許請求の範囲の減縮を目的とするものとした場合においても、引用文献１記載の発明と引用文献２に記載された発明に基づいて、当業者が容易に発明をすることができたものであるから、特許法第２９条第２項の規定により特許出願の際独立して特許を受けることができないものであって、特許法第１７条の２第５項の規定にも違反するものであるから、いずれにしても特許法第１５９条第１項の規定において読み替えて準用する同法第５３条第１項の規定により却下すべきものである。
　
３．本願発明について
　平成１６年１１月１２日付けの手続補正は上記のとおり却下されたので、本願の請求項１に係る発明（以下、同項記載の発明を「本願発明」という。）は、平成１６年８月２３日付け手続補正書の特許請求の範囲の請求項１に記載された事項により特定される、以下のとおりのものである。
　
「生体情報センサによりユーザの生体情報の読み取りを行う第１のステップと、
　第１のステップの処理に基づき読み取られた生体情報と登録メモリの登録生体情報とを照合するとともに、照合結果が照合成功を示すときには認証情報出力部のユーザ固有情報を、利用機器からの提供サービスに対応したエミュレータ信号に変換し前記利用機器に送信する第２のステップと、
　前記第２のステップの処理により送信されたエミュレータ信号に基づいて前記利用機器から前記ユーザにサービスを提供する第３のステップと
　を有し、
　前記第２のステップにおける処理は、
　生体情報センサにより読み取られた生体情報と登録メモリの登録生体情報とを照合し照合結果を出力する第４のステップと、
　第４のステップの処理に基づく照合結果が照合成功を示すときには前記認証情報出力部のユーザ固有情報をキーボードの打鍵信号に変換し前記エミュレータ信号として前記利用機器に送信する第５のステップとを含み、
　前記第３のステップにおける処理は、前記第５のステップの処理により送信された打鍵信号に基づいて前記利用機器がサービスプログラムを実行し前記ユーザにサービスを提供する処理を含むことを特徴とする認証方法。」
　
（１）引用例
　これに対して、原査定の拒絶の理由に引用された引用文献、及びその記載事項は、上記２．（２）（２−２）（二）に記載したとおりである。
　
（２）対比・判断
　本願発明は、上記２．（２）（２−２）（三）及び（四）で検討した本願補正発明から、「第２のステップ」の限定事項である「認証情報出力部に設けられユーザ固有情報を記憶するユーザメモリへ、前記ユーザ固有情報の更新や追加をするためのアクセスを許容する」との処理を省いたものである。
　ここで、照合結果が照合成功を示すときの処理として、「認証情報出力部に設けられユーザ固有情報を記憶するユーザメモリへ、前記ユーザ固有情報の更新や追加をするためのアクセスを許容する」ことは、上記２．（２）（２−２）（三）で示すように、引用文献１に記載されている事項である。
　してみると、本願補正発明が、上記２．（３）（２−２）（四）に記載したとおり、引用文献１記載の発明と引用文献２に記載された発明に基づいて、当業者が容易に発明をすることができたものであるから、本願発明も同様の理由により、引用文献１記載の発明と引用文献２に記載された発明に基づいて、当業者が容易に発明をすることができたものである。
　
（３）むすび
　以上のとおり、本願発明は、引用文献１記載の発明及び引用文献２に記載された発明に基づいて、当業者が容易に発明をすることができたものであるから、特許法第２９条２項の規定により特許を受けることができない。
　よって、結論のとおり審決する。